【手続補正書】
【提出日】平成24年4月19日(2012.4.19)
【手続補正１】
【補正対象書類名】特許請求の範囲
【補正対象項目名】全文
【補正方法】変更
【補正の内容】
【特許請求の範囲】
【請求項１】
オノマトペを構成する種々の音韻形態ごとのイメージを示すイメージ情報を記憶する記憶装置と、
ユーザから入力された評価処理対象のオノマトペの音韻形態を解析する音韻形態解析部と、
前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価部と、
前記イメージ評価部で取得された前記評価処理対象のオノマトペのイメージ評価情報を出力するための出力情報を生成する出力情報生成部と、
を有するイメージ評価装置と、
前記イメージ評価装置の出力情報生成部で生成された出力情報を、当該オノマトペのイメージ評価情報としてユーザに提示するために出力する出力インタフェースを有するユーザインタフェースと
を備えることを特徴とするオノマトペのイメージ評価システム。
【請求項２】
前記記憶装置は、オノマトペを構成する種々の音韻形態ごとのオノマトペのイメージに与える影響の尺度を、予め設定された形容詞ごとに数値化したイメージ評価値が格納された定量イメージテーブルを記憶するものであり、
前記イメージ評価部は、前記音韻形態解析部において解析された各音韻形態の、前記予め設定された形容詞ごとのイメージ評価値を前記定量イメージテーブルから特定して前記評価処理対象のオノマトペのイメージ評価値を算出し、前記イメージ評価情報として取得する定量イメージ評価部を含むものである
ことを特徴とする請求項１に記載のオノマトペのイメージ評価システム。
【請求項３】
前記記憶装置は、オノマトペを構成する種々の音韻形態ごとのイメージを示す語句が格納された定性イメージリストを記憶するものであり、
前記イメージ評価部は、前記音韻形態解析部において解析された各音韻形態のイメージを示す複数の語句を前記定性イメージリストから特定して前記イメージ評価情報として取得する定性イメージ評価部を含むものである
ことを特徴とする請求項１または２に記載のオノマトペのイメージ評価システム。
【請求項４】
前記記憶装置は、オノマトペの音韻形態を、音韻の要素および語尾により解析するための音韻形態解析情報を格納した音韻形態データベースをさらに有し、
前記イメージ評価装置の音韻形態解析部は、ユーザから入力された評価処理対象のオノマトペの音韻形態を、前記音韻形態データベースの音韻形態解析情報に基づいて解析する
ことを特徴とする請求項１から３のいずれか１項に記載のオノマトペのイメージ評価システム。
【請求項５】
前記イメージ評価装置は、前記イメージ評価部において取得した定性的なイメージ評価情報から、前記評価処理対象のオノマトペのイメージを示す文書情報を生成する文書情報生成部をさらに有し、
前記出力情報生成部は、前記評価処理対象のオノマトペの定性的なイメージ評価情報として、前記文書情報生成部で生成された前記評価処理対象のオノマトペの定性的なイメージを示す文書情報を使用する、
ことを特徴とする請求項３または請求項３を引用する請求項４に記載のオノマトペのイメージ評価システム。
【請求項６】
オノマトペを構成する種々の音韻形態ごとのイメージを示すイメージ情報を記憶する記憶装置と、
オノマトペのイメージ評価情報をユーザに提示するために出力する出力インタフェースを有するユーザインタフェースと
に接続されたオノマトペのイメージ評価装置において、
ユーザから入力された評価処理対象のオノマトペの音韻形態を解析する音韻形態解析部と、前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価部と、
前記イメージ評価部で取得された前記評価処理対象のオノマトペのイメージ評価情報を出力するための出力情報を生成する出力情報生成部と、
を有することを特徴とするオノマトペのイメージ評価装置。
【請求項７】
オノマトペを構成する種々の音韻形態ごとのイメージを示すイメージ情報を記憶する記憶装置と、
オノマトペのイメージ評価情報をユーザに提示するために出力する出力インタフェースを有するユーザインタフェースと
に接続されたオノマトペのイメージ評価装置に、
ユーザから入力された評価処理対象のオノマトペの音韻形態を解析する音韻形態解析機能と、
前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価機能と、
前記イメージ評価部で取得された前記評価処理対象のオノマトペのイメージ評価情報を出力するための出力情報を生成する出力情報生成機能と
を実現させるオノマトペのイメージ評価用プログラム。
【手続補正２】
【補正対象書類名】明細書
【補正対象項目名】００１５
【補正方法】変更
【補正の内容】
【００１５】
上記の課題を解決するための、本発明のオノマトペのイメージ評価システムは、オノマトペを構成する種々の音韻形態ごとのイメージを示すイメージ情報を記憶する記憶装置と、ユーザから入力された評価処理対象のオノマトペの音韻形態を解析する音韻形態解析部と、前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価部と、前記イメージ評価部で取得された前記評価処理対象のオノマトペのイメージ評価情報を出力するための出力情報を生成する出力情報生成部とを有するイメージ評価装置と、前記イメージ評価装置の出力情報生成部で生成された出力情報を、当該オノマトペのイメージ評価情報としてユーザに提示するために出力する出力インタフェースを有するユーザインタフェースとを備えることを特徴とする。
【手続補正３】
【補正対象書類名】明細書
【補正対象項目名】００１６
【補正方法】変更
【補正の内容】
【００１６】
また、本発明のオノマトペのイメージ評価装置は、オノマトペを構成する種々の音韻形態ごとのイメージを示すイメージ情報を記憶する記憶装置と、オノマトペのイメージ評価情報をユーザに提示するために出力する出力インタフェースを有するユーザインタフェースとに接続されたオノマトペのイメージ評価装置において、ユーザから入力された評価処理対象のオノマトペの音韻形態を解析する音韻形態解析部と、前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価部と、前記イメージ評価部で取得された前記評価処理対象のオノマトペのイメージ評価情報を出力するための出力情報を生成する出力情報生成部とを有することを特徴とする。
【手続補正４】
【補正対象書類名】明細書
【補正対象項目名】００１７
【補正方法】変更
【補正の内容】
【００１７】
また、本発明のオノマトペのイメージ評価用プログラムは、オノマトペを構成する種々の音韻形態ごとのイメージを示すイメージ情報を記憶する記憶装置と、オノマトペのイメージ評価情報をユーザに提示するために出力する出力インタフェースを有するユーザインタフェースとに接続されたオノマトペのイメージ評価装置に、ユーザから入力された評価処理対象のオノマトペの音韻形態を解析する音韻形態解析機能と、前記記憶装置に記憶されたイメージ情報を参照して、前記音韻形態解析部において解析された各音韻形態のイメージを示すイメージ情報を特定して前記評価処理対象のオノマトペのイメージ評価情報として取得するイメージ評価機能と、前記イメージ評価部で取得された前記評価処理対象のオノマトペのイメージ評価情報を出力するための出力情報を生成する出力情報生成機能と
を実現させることを特徴とする。